(57)【要約】【課題】安定した増幅器の出力勾配を容易に設定することが可能な受信機を提供することを課題とする。【解決手段】アクティブフィルタ３から中間周波増幅器４への出力を第２の検波器６によって検出して高周波増幅器１のＡＧＣを行う。中間周波増幅器４に対するＡＧＣのフィードバックループと、高周波増幅器１に対するフィードバックループを分けたことにより安定した高周波増幅器１と中間周波増幅器４による出力勾配を容易に設定することが出来る。【選択図】　　図１
2004096404.tif 000002
【特許請求の範囲】
【請求項１】
スーパーテヘロダイン方式の受信機であって、
高周波信号を増幅する高周波増幅手段と、
中間周波信号を増幅する中間周波増幅手段と、
前記中間周波増幅手段の出力信号を検波した信号に基いて、該中間周波増幅手段のゲインを制御する第１の利得制御手段と、
前記中間周波増幅手段の出力信号を検波した信号とは異なる信号に基いて、前記高周波増幅手段のゲインを制御する第２の利得制御手段と、
を備えることを特徴とする受信機。
【請求項２】
前記第２の利得制御手段は、前記中間周波増幅手段に入力される信号を検波した信号に基いて、前記高周波増幅手段のゲインを制御することを特徴とする請求項１に記載の受信機。
【請求項３】
前記高周波増幅手段から出力される信号の周波数変換を行う周波数変換手段を更に備え、前記第２の利得制御手段は、前記中間周波増幅手段に入力される信号を検波した信号、前記周波数変換手段から出力される信号を検波した信号及び前記高周波増幅手段から出力される信号を検波した信号に基いて前記高周波増幅手段のゲインを制御することを特徴とする請求項１に記載の受信機。
【請求項４】
前記第２の利得制御手段の制御に基いて、前記高周波増幅手段へ入力される高周波信号の利得を制御する可変減衰手段を更に備えることを特徴とする請求項１乃至３の何れか１つに記載の受信機。
【請求項５】
スーパーテヘロダイン方式の受信機における自動利得制御方法であって、
中間周波信号を増幅する中間周波増幅手段の出力信号を検波した信号に基いて、該中間周波増幅手段のゲインを制御し、
前記中間周波増幅手段の出力信号を検波した信号とは異なる信号に基いて、高周波信号を増幅する高周波増幅手段のゲインを制御する
ことを特徴とする自動利得制御方法。
【請求項６】
スーパーテヘロダイン方式の受信機であって、
高周波信号を増幅する高周波増幅手段と、
前記高周波増幅手段から出力される信号の周波数変換を行う周波数変換手段と、
前記周波数変換手段手段の出力に基いて、中間周波信号を抽出するバンドパスフィルタと、
前記バンドパスフィルタから出力される前記中間周波信号を増幅する中間周波増幅手段と、
前記中間周波増幅手段の出力信号を検波した信号に基いて、該中間周波増幅手段のゲインを制御する第１の利得制御手段と、
前記バンドパスフィルタの出力を検波した信号に基いて、前記高周波増幅手段のゲインを制御する第２の利得制御手段と、
を備えることを特徴とする受信機。
【発明の詳細な説明】
【０００１】
【発明の属する技術分野】
本発明は、無線通信用の受信機に関し、更に詳しくは受信機の自動利得制御（ＡＧＣ）に対する技術に関する。
【０００２】
【従来の技術】
図４は、ＡＧＣ（Ａｕｔｏ　Ｇａｉｎ　Ｃｏｎｔｒｏｌ）用の構成を有する一般的なスーパーテヘロダイン方式の受信機の構成を示す回路ブロック図である。
スーパーテヘロダイン方式では、希望波を増幅した後中間周波数の信号に変換し、この信号を増幅した後検波する。またＡＧＣは、高周波信号（ＲＦ信号）や中間周波数信号（ＩＦ信号）を増幅するゲイン（利得）を自動的に調整することにより、入力レベルの変動に対する出力レベルの変動を抑えるものである。
【０００３】
尚図４には、信号の増幅、周波数変換を行う部分近辺の構成が示してあり、その前段及び後段部分、例えばアンテナ付近の受信部分や、スピーカー等の出力部分等本発明に直接関係が無い部分は省略している。
同図の受信機では、アンテナで受信された無線信号波は、コンデンサＣ１，Ｃ２を介して高周波増幅器（ＲＦ）１０１に入力されて、増幅される。増幅された無線信号波は、発振器（ＯＳＣ）１０３及び周波数混合器１０４で構成された周波数変換部１０２に入力される。
【０００４】
周波数変換部１０２では、高周波増幅器１０１から入力された信号に発振器１０３が発振した局部発振信号を周波数混合器１０４によって混合し、相互の差（若しくは和）の周波数の信号を中間周波信号として出力し、バンドパスフィルタ１０５に入力する。
【０００５】
バンドパスフィルタ１０５は、希望受信波を選択する役目を持ち、バンドパスフィルタ１０５に入力されたＩＦ信号は帯域制限されて中間周波数増幅器（ＩＦ）１０６に入力される。
中間周波増幅器１０６では、入力されたＩＦ信号を増幅して検波器（ＤＥＴ）１０７に出力し、検波器１０７はＩＦ信号から音声信号等の信号Ｖｏを復調する一方、信号Ｖｏを平滑して得る直流成分をＡＧＣ電圧としてＡＧＣ増幅器１０９及び中間周波増幅器１０６にフィードバックする。
【０００６】
高周波増幅器１０１及び中間周波増幅器１０６は、ゲインを外部からの指示に基づいて変化させることが出来、まず中間周波増幅器１０６は、検波器１０７からのフィードバック電圧（ＡＧＣ電圧）に基づいてゲイン変換され、次に高周波増幅器１０１は検波器１０７からのＡＧＣ電圧を入力とする自動利得制御回路１０８の出力信号に基づいてゲインを変更する。
【０００７】
自動利得制御回路１０８は、ＡＧＣ増幅器１０９及び基準電圧となる可変電圧源１１０とから成る。ＡＧＣ増幅器１０９は、検波器１０７からのフィードバック電圧と可変電圧源１１０によって設定されている電圧値との差分を増幅して、高周波増幅器１０１及び可変減衰器１１１に出力し、高周波増幅器１０１はこの信号の大きさに基づいてゲインを変更する。
【０００８】
可変減衰器１１１は、ＡＧＣの効果を上げる為に入力部に設けられるもので、互いに並列に設けられた２つのＰＩＮダイオードＤ１，Ｄ２とコンデンサＣ３によって構成される。大振幅の信号が入力されると、可変減衰器１１１ではダイオードＤ２の順方向電流が増加して動作抵抗が減少し、入力部における減衰量を大きくする。
【０００９】
ＲＦ同調器１１２及びＩＦ同調器１１３は、ＲＦ増幅及びＩＦ増幅において同調周波数を設定するために用いられるＬＣ同調回路である。
この図４の受信機では、受信電界強度が変動しても、検波器１０７からのフィードバック電圧をＡＧＣ電圧として高周波増幅器１０１及び中間周波数増幅器１０６のゲインを制御することによって、検波器１０７に入力される信号の大きさを一定にすることにより、受信機の出力の大きさを一定に保つことが出来る。
【００１０】
図５は、受信機の出力レベルと入力電界強度との関係を表す入出力特性を示す図で、同図（ａ）は理想的な入出力特性、同図（ｂ）は図４において自動利得制御回路１０８を持たない場合の入出力特性を示す。
同図（ａ）に示すように、受信電波の入力レベルＶｉｎが大きくなっても、出力レベルＶｏは一定値以上には大きくならないのが理想である。しかし、同図（ｂ）に示すように、中間周波数増幅器１０６のゲインの制御のみで対処した場合、受信電波の入力レベルＶｉｎが中間周波増幅器１０６の飽和電圧Ｖａを超えてしまうと、Ｖｉｎの大きさに比して出力レベルＶｏも大きくなってしまう。
【００１１】
これに対し図４の構成のように、自動利得制御回路１０８を設け、高周波増幅器１０１のゲインのコントロール及び可変減衰器１１１によるアンテナ等を含む入力部のコントロールを行うと、図５（ｃ）に示すように、受信電波の入力レベルＶｉｎが中間周波増幅器１０６の飽和電圧Ｖａを超えても、高周波増幅器１０１及び入力部に対する制御が働き、Ｖｉｎに比して出力レベルＶｏが大きくなるのが抑制される。
【００１２】
【発明が解決しようとする課題】
図４に示した受信機では、検波器１０７からのフィードバック電圧の大きさによって、高周波増幅器１０１及び中間周波増幅器１０６のゲインを制御してＡＧＣを実現している。
【００１３】
しかし、この図４の構成では、高周波増幅器１０１のゲインの制御も中間周波増幅器１０６のゲインの制御も共に、検波器１０７の出力に基づいて行っており、中間増幅器１０６によるゲインの制御が優先的に行われるので、図５（ｃ）のＩＦ部分（中間周波増幅器１０６のゲイン制御による部分）の出力勾配が不安定になる。よって安定的に動作させるためには、設計時に、各デバイス毎にばらつきのある高周波増幅器１０１及び中間周波増幅器１０６のオープンゲインを測定して、この測定値を元に各値の調整を行い最適値に設定しなければならなかった。
【００１４】
本発明は、上記問題点を解決する受信機及び自動利得制御方法を提供することを課題とする。
【００１５】
【課題を解決するための手段】
上記課題を解決する本発明による受信機は、スーパーテヘロダイン方式の受信機であることを前提とし、高周波増幅手段、中間周波増幅手段、第１の利得制御手段及び第２の利得制御手段を備える。
【００１６】
高周波増幅手段は、高周波信号を増幅する。
中間周波増幅手段は、中間周波信号を増幅する
第１の利得制御手段は、上記中間周波増幅手段の出力信号を検波した信号に基いて、該中間周波増幅手段のゲインを制御する。
【００１７】
第２の利得制御手段は、上記中間周波増幅手段の出力信号を検波した信号とは異なる信号に基いて、上記高周波増幅手段のゲインを制御する。
上記第２の利得制御手段は、例えば上記中間周波増幅手段に入力される信号を検波した信号に基いて、上記高周波増幅手段のゲインを制御する。
【００１８】
或いは上記高周波増幅手段から出力される信号の周波数変換を行う周波数変換手段を更に備え、上記第２の利得制御手段は、上記中間周波増幅手段に入力される信号を検波した信号、上記周波数変換手段から出力される信号を検波した信号及び上記高周波増幅手段から出力される信号を検波した信号に基いて上記高周波増幅手段のゲインを制御する構成としても良い。
【００１９】
また上記第２の利得制御手段の制御に基いて、上記高周波増幅手段へ入力される高周波信号の利得を制御する可変減衰手段を更に備える構成としても良い。
更に本発明は、スーパーテヘロダイン方式の受信機であって、高周波信号を増幅する高周波増幅手段と、上記高周波増幅手段から出力される信号の周波数変換を行う周波数変換手段と、上記周波数変換手段手段の出力に基いて、中間周波信号を抽出するバンドパスフィルタと、上記バンドパスフィルタから出力される上記中間周波信号を増幅する中間周波増幅手段と、上記中間周波増幅手段の出力信号を検波した信号に基いて、該中間周波増幅手段のゲインを制御する第１の利得制御手段と、上記バンドパスフィルタの出力を検波した信号に基いて、上記高周波増幅手段のゲインを制御する第２の利得制御手段と、を備えることを特徴とする受信機として構成しても良い。
【００２０】
又本発明は、スーパーテヘロダイン方式の受信機における自動利得制御方法をも範囲に含む。この方法では、中間周波信号を増幅する中間周波増幅手段の出力信号を検波した信号に基いて、該中間周波増幅手段のゲインを制御し、上記中間周波増幅手段の出力信号を検波した信号とは異なる信号に基いて、高周波信号を増幅する高周波増幅手段のゲインを制御する。
【００２１】
本発明によれば、上記高周波増幅手段のゲインの制御と、上記中間波増幅手段のゲインの制御を異なった信号によって行うことにより、上記高周波増幅手段及び上記中間周波数増幅手段の安定した出力勾配を容易に設定することが出来る。
【００２２】
【発明の実施の形態】
図１に第１の実施形態の受信機の構成を示すブロック図を示す。尚図１は、図４と同様に信号の増幅や周波数変換を行う回路を示している。
同図の受信機は、高周波増幅器（ＲＦ）１、周波数変換部２、バンドパスフィルタ３、中間周波増幅器（ＩＦ）４、第１の検波器（ＤＥＴ１）５、第２の検波器（ＤＥＴ２）６、自動利得制御回路７ａ、可変減衰器８、ＲＦ同調器９及びＩＦ同調機１０を備えている。
【００２３】
高周波増幅器１は、不図示のアンテナが受信した微弱な電波を低雑音増幅する。また高周波増幅器１はゲインを外部からの入力信号に基づいて変化させることが出来る。
周波数変換部２は、高周波数信号（ＲＦ信号）を中間周波数信号（ＩＦ信号）に変換するもので、発振器（ＯＳＣ）２１及び周波数混合器２２を備えている。周波数変換部２では、ＲＦ信号と発振器２１が発振する局部発振信号を周波数混合器２２によって混合してＲＦ信号と局部発振信号の和または差の周波数にあたるＩＦ信号を生成する。
【００２４】
バンドパスフィルタ３は、中間周波数を抽出する例えば狭帯域のバンドパスフィルタで、受動フィルタ、能動フィルタ等が受信機の用途によって選択される。バンドパスフィルタ３は、希望受信波を選択する役目を持ち、バンドパスフィルタ３に入力されたＩＦ信号は、帯域制限されて中間周波数増幅器４に入力される。
【００２５】
中間周波増幅器４は、周波数変換部２で作られたＩＦ信号を高利得増幅する。中間周波増幅器４は、ゲインを外部からの入力信号に基づいて変化させることが出来る。
第１の検波器５は、中間周波増幅器４の出力信号から、音声信号等の信号Ｖｏを検出する。また第１の検波器５では、信号Ｖｏを平滑して得る時定数を大きくした直流成分をＡＧＣ電圧として中間周波増幅器４にフィードバックし、中間周波増幅器４ではこのフィードバック電圧に基づいてゲインを変化させＩＦ信号のゲイン制御を実現する。
【００２６】
第２の検波器（ＤＥＴ２）６は、バンドパスフィルタ３から出力される希望受信波信号を検出するもので、希望受信波信号の電圧レベルが一定値以上になるとその大きさに応じた電圧を自動利得制御回路７ａに出力する。
自動利得制御回路７ａは、ＡＧＣ増幅器７１、可変電圧源７２及びダイオードＤ３を有している。ＡＧＣ増幅器７１は、差動増幅器で、第２の検波器６から入力される電圧値と可変電圧源７２によって設定されている基準電圧との差分を特定の増幅率で増幅して、高周波増幅器１及び可変減衰器８に出力する。ダイオードＤ３は、整流用のダイオードであり、第２の検波器６が検波した信号を整流してＡＧＣ増幅器７１に入力する。
【００２７】
可変減衰器８は、受信信号のダイナミックレンジを大きく設定する為に設けられるもので、互いに並列に設けられた２つのＰＩＮダイオードＤ１，Ｄ２とダイオードＤ２に対して直列に設けられたコンデンサＣ２によって構成される。可変減衰器８では、自動利得制御回路７ａからのフィードバック電圧に基づいてＰＩＮダイオードＤ２のインピーダンスを変更して減衰量を制御して高周波増幅器１に入力されるＲＦ入力信号レベルを一定にする。受信電波の電界強度が大きくなると自動利得制御回路７ａから可変減衰器８への電流が増加し、可変減衰器８では、ダイオードＤ２の順方向電流が増加して動作抵抗が減少し、減衰量を大きくする。
【００２８】
自動利得制御回路７ａは、受信電波の電界強度が特定レベル以上の場合は、可変減衰器８を制御してＲＦ入力レベルを減衰させ、可変減衰器８で減衰しきれないときは、さらに高周波増幅器１を制御してゲインを減衰させて中間周波出力レベルを所定のレベルに抑制する。
【００２９】
ＲＦ同調器９及びＩＦ同調器１０は、それぞれＲＦ増幅及びＩＦ増幅において同調周波数を設定するために用いられるＬＣ同調回路で、同調コイルＬ１とコンデンサＣ３（同調コイルＬ２とコンデンサＣ４）が並列接続された構成を持つ。尚図１では、ＲＦ同調器９を構成しているコンデンサＣ４は、可変コンデンサとしているが固定容量のコンデンサとして簡単な構成としても良い。
【００３０】
次に図１の受信機の動作を説明する。
図１の受信機は、高周波増幅器１及び可変減衰器８へのＡＧＣ電圧をバンドパスフィルタ３の出力を検波する第２の検波器６からフィードバックさせ、中間周波増幅器４をＡＧＣ制御する為のフィードバックループと、高周波増幅器１をＡＧＣ制御する為のフィードバックループを分け、それぞれを個別に制御している。よって安定した高周波増幅器１と中間周波増幅器４による出力勾配を容易に設定することが出来る。
【００３１】
図１の受信機では、アンテナで受信された無線信号波は、コンデンサＣ１，Ｃ２を介して高周波増幅器１に入力されて、増幅され、周波数変換部２に入力される。
周波数変換部２では、高周波増幅器３から入力された信号に発振器２１が発振した局部発振信号を周波数混合器２２によって混合し、相互の差（若しくは和）の周波数の信号をＩＦ信号として出力し、バンドパスフィルタ３に入力する。
【００３２】
バンドパスフィルタ３によって帯域制限されたＩＦ信号は、中間周波増幅器６に入力されて増幅され、第１の検波器５でＩＦ信号から音声信号等の出力対象信号が取り出される。このとき第１の検波器５は、検出した信号Ｖｏを平滑して中間周波増幅器４にＡＧＣ電圧としてフィードバックし、中間周波増幅器４はこのＡＧＣ電圧に基づいてゲインを制御する。
【００３３】
図１の受信機では、ＩＦゲインのＡＧＣはこの第１の検波器５から中間周波増幅器４へのフィードバックループによって実現される。
一方ＲＦゲインのＡＧＣは、ＩＦゲインのＡＧＣのフィードバックループとは別に、ＩＦ入力信号、即ちバンドパス３から中間周波増幅器４に入力される信号の強度を第２の検波器６で検波して、これを自動利得制御回路７ａを介して高周波増幅器１にフィードバックさせて実現している。これにより、中間周波増幅器４に入力されるＩＦ入力信号の電圧を中間周波増幅器４の飽和電圧より低く抑えることができるので、中間周波増幅器４が飽和することが無い。
【００３４】
第２の検波器６は、中間周波増幅器４へ入力されるＩＦ入力信号を検波し、電圧値が中間周波増幅器４の飽和電圧より低い予め定められた特定電圧以上になると、これをＡＧＣ電圧として自動利得制御回路７ａに出力する。
自動利得制御回路７ａでは、第２の検波器６からのＡＧＣ電圧をダイオードＤ３によって整流した後ＡＧＣ増幅器７１に入力する。ＡＧＣ増幅器７１は、可変電圧源７２によって設定されている基準電圧とＡＧＣ電圧との差分を特定の増幅率で増幅して、高周波増幅器１及び可変減衰器８に出力する。高周波増幅器１及び可変減衰器８はこの信号の大きさ基づいて信号の強度を制御する。
【００３５】
自動利得制御回路７から高周波増幅器１及び可変減衰器８へのフィードバック信号の位相は逆位相になっており、高周波増幅器１は自動利得制御回路７からのフィードバック信号の電圧値Ｖｘが下がるとゲインを下げ、可変減衰器８はフィードバック信号の電圧値Ｖｙが上がってダイオードＤ２に流れる電流が大きくなるとゲインを下げる。
【００３６】
図２は、ＡＧＣ増幅器７１から高周波増幅器１へ出力されるフィードバック信号レベルＶｘと可変減衰器８へ出力されるフィードバック信号レベルＶｙを示す図である。
同図に示すように、自動利得制御回路７から高周波増幅器１へのフィードバック信号のＶｘと可変減衰器８へのフィードバック信号のＶｙは逆位相となっている。また、受信電波の入力レベルＶｉｎが大きくなり、第２の検波器６に設定された特定電圧値以上となると、まず可変減衰器７へのフィードバック信号Ｖｙのレベルが下がり、これに基いて入力部のゲインが下がる。更に入力レベルＶｉｎが大きくなり入力部が飽和すると、高周波増幅器１へのへのフィードバック信号Ｖｘのレベルが上がり、これに基いて高周波増幅器１はゲインを下げて、中間周波増幅器４へ入力されるＩＦ入力信号のレベルが上がるのを抑制する。
【００３７】
これにより、中間周波増幅器４が飽和するのを防ぐことが出来る。
また高周波増幅器１のフィードバックループと中間周波増幅器４のフィードバックループが独立しているので、それぞれの設定を別々に行うことが出来、各増安定した幅器の出力勾配を容易に設定することが出来る。
【００３８】
次に第２の実施形態について説明する。第２の実施形態の受信機は、カーラジオ等のモバイル用の受信機の構成を示すものである。
図３は第２の実施形態による受信機の構成を示すブロック図である。尚図３も図１や図４と同様信号の増幅、周波数変換を行う部分近辺の構成が示してあり、その前段及び後段部分等本発明に直接関係が無い部分は省略している。
【００３９】
モバイル用の受信機では、移動の途中で近くに強い局があると、希望波がその強い電波によって干渉妨害を受け、Ｓ／Ｎ比が低下する。強い局の電波によって希望局からの電波が抑えられてしまう、混変調（ｃｒｏｓｓ　ｍｏｄｅｒａｔｉｏｎ）が生じる。第２の実施形態の受信機はこれに対応したもので、複数の信号に入力に対して感度を落として混変調を防ぐものである。
【００４０】
図１の構成と比較すると、図３の受信機では、中間周波増幅器４の出力を検波する第１の検波器５及びバンドパスフィルタ３から中間周波増幅器４へ入力される狭帯域の信号を検波する第２の検波器６の他に、周波数変換部２からバンドパスフィルタ３へ入力される中帯域の信号を検波する第３の検波器（ＤＥＴ３）１１及び高周波増幅器１から周波数変換部２へ入力される広帯域の信号を検波する第４の検波器（ＤＥＴ４）１２を有している。
【００４１】
第３の検波器１１及び第４の検波器１２は、ぞれぞれの信号の強度を検波し、電圧値が予め定められたそれぞれの特定電圧以上になると、これをＡＧＣ電圧として自動利得制御回路７ｂに出力する。
自動利得制御回路７ｂは、上記したＡＧＣ増幅器７１、可変電圧源７２及びダイオードＤ３の他にワイヤードオア等で実現されるアナログ加算回路７３を備えている。アナログ加算回路７３は、第２の検波器６、第３の検波器１１及び第４の検波器１２の出力を入力とし、これらの信号を加算した信号をダイオードＤ３を介してＡＧＣ増幅器７１に入力する。そしてＡＧＣ増幅器７１では、この入力信号と可変電圧源７２によって設定されている基準電圧値との差分電圧に基いたフィードバック信号を高周波増幅器１及び可変減衰器８に出力してＡＧＣ制御を行う。
【００４２】
この第２の実施形態の受信機では、ＲＦゲインの制御を第２の検波器６、第３の検波器１１及び第４の検波器１２によって検波されたＡＧＣ電圧によって行われる。よって、図３中のＡ点で狭帯域の信号、Ｂ点で中帯域の信号、Ｃ点で広帯域の信号の強度を監視し、いずれかの強度が特定値以上になると自動利得制御回路７ｂが高周波増幅器１及び可変減衰器８を制御してゲインをコントロールする。
【００４３】
尚上記した狭帯域の信号とは、受信を行う局のみを含み隣接局の信号は含まない程度の帯域幅の信号、中帯域の信号とは隣接局も含み、２、３局程度の局の信号を含む帯域幅の信号、広帯域の信号とはそれ以上の帯域幅の信号を指している。
【００４４】
この第２の実施形態の受信機においても広帯域、中帯域及び狭帯域の信号において、強度を監視し、いずれかの信号が特定値以上となると、ゲインのコントロールを行って、混変調を防いでいる。またこの時、高周波増幅器１のゲイン制御と中間周波増幅器４のゲイン制御はそれぞれ独立したフィードバックループによって行われているので、それぞれの設定を別々に行うことが出来、安定した各増幅器の出力勾配を容易に設定することが出来る。
【００４５】
尚上記第１の実施形態及び第２の実施形態の受信機は、ＡＭ／ＦＭ等のラジオのみに限らず、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎｓ）等ＡＧＣの特性を要求するものならどのような無線受信機にも用いることが出来る。
【００４６】
【発明の効果】
本発明によれば、高周波増幅器のフィードバックループと中間周波増幅器のフィードバックループが独立しているので、それぞれの設定を別々に行うことが出来る。従って、各増幅器の出力勾配を容易に設定することが出来る受信機を実現することが出来る。
【図面の簡単な説明】
【図１】第１の実施形態の受信機の構成を示すブロック図である。
【図２】ＡＧＣ増幅器から高周波増幅器へ出力されるフィードバック信号レベルＶｘと可変減衰器へ出力されるフィードバック信号レベルＶｙを示す図である。
【図３】第２の実施形態の受信機の構成を示すブロック図である。
【図４】ＡＧＣ用の構成を有する一般的なスーパーテヘロダイン方式の受信機の構成を示す回路ブロック図である。
【図５】受信機の出力レベルと入力電界強度との関係を表す入出力特性を示す図である。
【符号の説明】
１，１０１　高周波増幅器
２，１０２　周波数変換部
３，１０５　バンドパスフィルタ
４，１０６　中間周波増幅器
５　第１の検波器
６　第２の検波器
７ａ，７ｂ，１０８　自動利得制御回路
８，１１１　可変減衰器
９，１１２　ＲＦ同調器
１０，１１３　ＩＦ同調器
１１　第３の検波器
１２　第４の検波器
２１，１０４　発振器
２２，１０３　周波数混合器
７１，１０９　ＡＧＣ増幅器
７２，１１０　可変電圧源
７３　アナログ加算回路
Ｃ１，Ｃ２，Ｃ３，Ｃ４、Ｃ５　コンデンサ
Ｄ１，Ｄ２，Ｄ３　ダイオード
Ｌ１，Ｌ２　同調コイル
１０７　検波器
【図１】
2004096404.tif 000003
【図２】
2004096404.tif 000004
【図３】
2004096404.tif 000005
【図４】
2004096404.tif 000006
【図５】
2004096404.tif 000007